(57)【特許請求の範囲】
【請求項１】
混合管と、混合管の下流端から立上る立上り部を有する環状のバーナボディと、バーナボディ上に載置される環状のバーナキャップと、バーナキャップの上方に突出する鍋底温度センサとを備えるセンサ付きコンロ用バーナであって、混合管の上流端から下流端に向かう方向を前方として、バーナボディの立上り部の周方向両側部の下面が前上がりに傾斜しているものにおいて、
バーナボディの内周面の輪郭である円の中心を内周中心、バーナボディの外周面の輪郭である円の中心を外周中心として、内周中心が外周中心に対し前方に偏心し、内周中心より後方に位置するバーナボディの後部に、混合管からの混合気を立上り部を介して上方に導く混合気通路が形成され、
バーナボディとバーナキャップとの間にスペーサが介設され、スペーサは、バーナボディの上面外周部に着座する着座部と、着座部から下方にのびてバーナボディの外周面に嵌合する下筒部と、着座部の外周から上方にのびる、バーナボディの内周中心と同心の上筒部とを有し、
バーナキャップの下面外周部に、上筒部の上端に着座する環状壁が垂設されて、この環状壁に形成した溝で炎孔が構成され、バーナキャップの内周に、バーナボディの内周面に嵌合するシール筒が垂設され、このシール筒の内周空間を通して鍋底温度センサがバーナキャップの上方に突出すると共に、
鍋底温度センサを支持する支持パイプをバーナボディの内周中心と同心の状態で固定する固定具がバーナボディの立上り部とオーバーラップする高さに配置されることを特徴とするセンサ付きコンロ用バーナ。
【請求項２】
前記スペーサの前記上筒部の前側の部分に径方向内方に凹入する窪み部が形成され、この窪み部に点火プラグが配置されることを特徴とする請求項１記載のセンサ付きコンロ用バーナ。
【発明の詳細な説明】
【技術分野】
【０００１】
本発明は、混合管と、混合管の下流端から立上る立上り部を有する環状のバーナボディと、バーナボディ上に載置される環状のバーナキャップと、バーナキャップの上方に突出する鍋底温度センサとを備えるセンサ付きコンロ用バーナに関する。
【背景技術】
【０００２】
従来、２個の大バーナと１個の小バーナとを有する３口コンロにおいては、１個の大バーナを鍋底温度センサ付きのものとし、該センサにより調理容器の温度を検出して、調理容器の過熱を生じたときにバーナを消火し、揚げ物調理での油の発火を防止できるようにしている。然し、ユーザによってはセンサ付きバーナ以外のバーナで揚げ物調理を行うことがあり、安全性を担保するため、全てのバーナを鍋底温度センサ付きのものとすることが望まれている。
【０００３】
ここで、従来の鍋底温度センサ付きの大バーナでは、バーナボディの内周面の輪郭である円の中心（内周中心）をバーナボディの外周面の輪郭である円の中心（外周中心）と同心にしている。そして、バーナキャップの下面外周部に、バーナボディの上面外周部に着座する環状壁を垂設して、この環状壁に形成した溝で炎孔を構成し、バーナキャップの内周に、バーナボディの内周面に嵌合するシール筒を垂設して、このシール筒の内周空間を通して鍋底温度センサをバーナキャップの上方に突出させている（例えば、特許文献１参照）。
【０００４】
また、このものでは、鍋底温度センサを支持する支持パイプが、バーナボディの立上り部とオーバーラップする高さに配置した固定具にバーナボディの内周中心と同心の状態で固定されている。尚、固定具をバーナボディの立上り部の下端の高さより下方に配置することも可能であるが、これでは、コンロ本体の高さ寸法が増加し、また、支持パイプの長さが長くなってコストが高くなる。
【０００５】
ところで、３口コンロの小バーナを上記大バーナと同様の構造で鍋底温度センサ付きのものとすることは困難である。以下、その理由を説明する。バーナボディの立上り部の周方向両側部は、混合管の上流端から下流端に向かう方向を前方として、バーナボディの支持剛性を確保するため、バーナボディの内外周中心より前方の位置まで延在している。立上り部の周方向両側部の下面は前上がりに傾斜しているが、バーナボディの内外周中心に合致する前後方向位置における下面の高さは比較的低い。そして、小バーナでは、バーナボディの内径が鍋底温度センサの支持パイプ用の固定具の横幅と同等かそれ以下となり、固定具をバーナボディの内周中心に合致する前後方向位置にバーナボディの立上り部とオーバーラップする高さで配置すると、固定具が立上り部の周方向両側部に干渉してしまう。そのため、固定具の配置高さを低くせざる得なくなる。その結果、コンロの薄型化を図ることが困難になると共に、支持パイプの長さが長くなって、コストアップを招いてしまう。
【特許文献１】特開平１１−２２９７５号公報
【発明の開示】
【発明が解決しようとする課題】
【０００６】
本発明は、以上の点に鑑み、バーナボディの内径が鍋底温度センサの支持パイプ用の固定具の横幅と同等かそれ以下になっても、固定具をバーナボディの立上り部とオーバーラップする高さで配置できるようにしたセンサ付きコンロ用バーナを提供することをその課題としている。
【課題を解決するための手段】
【０００７】
上記課題を解決するために、本発明は、混合管と、混合管の下流端から立上る立上り部を有する環状のバーナボディと、バーナボディ上に載置される環状のバーナキャップと、バーナキャップの上方に突出する鍋底温度センサとを備えるセンサ付きコンロ用バーナであって、混合管の上流端から下流端に向かう方向を前方として、バーナボディの立上り部の周方向両側部の下面が前上がりに傾斜しているものにおいて、バーナボディの内周面の輪郭である円の中心を内周中心、バーナボディの外周面の輪郭である円の中心を外周中心として、内周中心が外周中心に対し前方に偏心し、内周中心より後方に位置するバーナボディの後部に、混合管からの混合気を立上り部を介して上方に導く混合気通路が形成され、バーナボディとバーナキャップとの間にスペーサが介設され、スペーサは、バーナボディの上面外周部に着座する着座部と、着座部から下方にのびてバーナボディの外周面に嵌合する下筒部と、着座部の外周から上方にのびる、バーナボディの内周中心と同心の上筒部とを有し、バーナキャップの下面外周部に、上筒部の上端に着座する環状壁が垂設されて、この環状壁に形成した溝で炎孔が構成され、バーナキャップの内周に、バーナボディの内周面に嵌合するシール筒が垂設され、このシール筒の内周空間を通して鍋底温度センサがバーナキャップの上方に突出すると共に、鍋底温度センサを支持する支持パイプをバーナボディの内周中心と同心の状態で固定する固定具がバーナボディの立上り部とオーバーラップする高さに配置されることを特徴とする。
【０００８】
本発明によれば、バーナボディの内周中心を外周中心に対し前方に偏心させるため、内周中心に合致する前後方向位置において、バーナボディの立上り部の周方向両側部の下面の高さは立上り部の上端と同等又はこれに近い高さになる。従って、バーナボディの内径が鍋底温度センサの支持パイプ用の固定具の横幅と同等かそれ以下であっても、固定具をバーナボディの立上り部の周方向両側部との干渉を生ずることなく、立上り部とオーバーラップする可及的に高い位置に配置することができる。その結果、コンロの薄型化を図ることができ、また、支持パイプの長さを短くしてコストダウンを図ることができる。
【０００９】
尚、バーナボディの内周中心を外周中心に対し前方に偏心させると、バーナボディの前部では内周面と外周面との間の幅が狭くなり、この部分には混合気通路を形成できなくなる。従って、バーナボディにバーナキャップを直接載置したのでは、バーナキャップの前部の炎孔に対する混合気の分布性が悪くなる。一方、本発明では、バーナボディとバーナキャップとの間にスペーサを介設するため、バーナボディの後部に形成した混合気通路からの混合気がスペーサ内で全周に分布し、バーナキャップの前部の炎孔に対する混合気の分布性が悪化することはない。
【００１０】
また、スペーサの上筒部はバーナボディの内周中心と同心であるため、上筒部の上端に着座するバーナキャップの下面外周部の環状壁もバーナボディの内周中心と同心になり、バーナボディの内周面に嵌合するバーナキャップの内周のシール筒もバーナボディの内周中心と同心になる。その結果、バーナボディの内周中心と同心に配置される鍋底温度センサと同心でバーナキャップが配置されることになり、体裁が良好に保たれる。
【００１１】
また、本発明においては、スペーサの上筒部の前側の部分に径方向内方（後方）に凹入する窪み部が形成され、この窪み部に点火プラグが配置されることが望ましい。ここで、上筒部及びバーナキャップはバーナボディの内周中心と同心であって、バーナボディの内周中心が外周中心に対し前方に偏心しているため、上筒部の前側部分及びバーナキャップの外周の前側部分はバーナボディの外周面の前側部分から前方にかなり張り出す。従って、上筒部の前側部分に窪み部を形成しても、窪み部の直下にはバーナボディが存在せず、窪み部にバーナボディとの干渉を生ずることなく点火プラグを配置できる。更に、バーナキャップの外径を大きくすることなく、バーナキャップで点火プラグを上方から覆って、点火プラグを煮こぼれから保護できる。
【発明を実施するための最良の形態】
【００１２】
図１を参照して、１はコンロ本体、２はコンロ本体１の上面を覆う天板である。コンロは、図示した１個の小バーナ４の他に図示省略した２個の大バーナを備える３口コンロである。小バーナ４には、天板２上の五徳３に載置する調理容器（図示せず）の底面に当接して該容器の温度を検出する鍋底温度センサ５が付設されている。以下、小バーナ４の構造について詳述する。
【００１３】
小バーナ４は、コンロ本体１内の台座１ａ上に固定される混合管６と、混合管６の下流端から立上る立上り部７１を有する環状のバーナボディ７と、バーナボディ７上にスペーサ８を介して載置される環状のバーナキャップ９とを備えている。混合管６の上流端には、ダンパ６１と、ダンパ６１に挿入されるガスノズル６２とが設けられている。ここで、混合管６の上流端から下流端に向かう方向を前方として、立上り部７１の周方向両側部７１ａは、バーナボディ７の支持剛性を確保するため、バーナボディ７の前端近傍に亘って延在している。そして、立上り部７１の周方向両側部７１ａの下面７１ｂは前上がりに傾斜している。
【００１４】
また、図４を参照して、バーナボディ７の内周面の輪郭である円の中心（内周中心）７ａは、バーナボディ７の外周面の輪郭である円の中心（外周中心）７ｂに対し前方に偏心している。そして、内周中心７ａより後方に位置するバーナボディ７の後部に、混合管６からの混合気（燃料ガスと一次空気との混合気体）を立上り部７１を介して上方に導く混合気通路７２が形成されている。
【００１５】
スペーサ８は、バーナボディ７の上面外周部に着座する着座部８１と、着座部８１から下方にのびてバーナボディ７の外周面に嵌合する下筒部８２と、着座部８１の外周から上方にのびる上筒部８３と、上筒部８３の外周から外方に張り出して、天板２に開設したバーナ用開口を上方から覆う環状の庇部８４とを有している。着座部８１の周方向２箇所には径方向内方に張り出す固定部８１ａが形成されている。そして、図５に示す如く、バーナボディ７に固定部８１ａに対応するねじ孔７３を形成し、スペーサ８を固定部８１ａにおいてバーナボディ７にねじ止めしている。
【００１６】
上筒部８３は、図３に示す如く、バーナボディ７の内周中心７ａと同心である。また、上筒部８３の前側部分には、径方向内方（後方）に凹入する窪み部８３ａが形成されている。そして、窪み部８３ａに、点火プラグ１０と火炎検知用の熱電対１１とを配置している。ここで、上筒部８３が全周に亘り内周中心７ａと同心の円筒状であると、バーナボディ７の内周中心７ａが外周中心７ｂに対し前方に偏心しているため、上筒部８３の前側部分はバーナボディ７の外周面の前側部分から前方にかなり張り出す。従って、上筒部８３の前側部分に窪み部８３ａを形成しても、窪み部８３ａの直下にはバーナボディ７が存在せず、窪み部８３ａにバーナボディ７との干渉を生ずることなく点火プラグ１０と熱電対１１とを配置できる。尚、点火プラグ１０と熱電対１１は、バーナボディ７の前部下面に垂設したボス部７４にねじ止めされるブラケット１２に夫々クリップ１２ａにより固定されている。
【００１７】
バーナキャップ９の下面外周部には、スペーサ８の上筒部８３の上端に着座する環状壁９１が垂設されている。この環状壁９１には、周方向の間隔を存して複数の溝が形成されており、これら溝で炎孔９２が構成される。また、環状壁９１の前側の部分には、上筒部８３の窪み部８３ａと同様に、径方向内方に凹入する窪み部９１ａが設けられ、この窪み部９１ａに臨ませて、点火用と火炎検知用の炎孔９２´が形成されている。尚、上筒部８３の内周面の周方向１箇所には溝部８３ｂが形成されている。そして、環状壁９１に溝部８３ｂに係合する突起（図示せず）を形成して、上筒部８３の窪み部８３ａに環状壁９１の窪み部９１ａが合致する位相でバーナキャップ９が回り止めされるようにしている。
【００１８】
また、バーナキャップ９の内周には、バーナボディ７の内周面に嵌合するシール筒９３が垂設されている。そして、バーナボディ７の混合気通路７２からの混合気がシール筒９３とスペーサ８の上筒部８３との間の空間で全周に分布して、炎孔９２から噴出する。尚、バーナボディ７の内周中心７ａを外周中心７ｂに対し前方に偏心させると、バーナボディ７の前部では内周面と外周面との間の幅が狭くなり、この部分には混合気通路を形成できなくなる。従って、バーナボディ７にバーナキャップ９を直接載置したのでは、バーナキャップ９の前部の炎孔９２に対する混合気の分布性が悪くなる。一方、本実施形態では、バーナボディ７とバーナキャップ９との間にスペーサ８が介設されるため、バーナボディ７とバーナキャップ９との間に十分な分布スペースが確保され、バーナキャップ９の前部の炎孔９２に対する混合気の分布性が悪化することはない。
【００１９】
また、バーナキャップ９の前側の部分は、上筒部８３の前側の部分に形成した窪み部８３ａの上方に張り出す。従って、バーナキャップ９の外径を大きくすることなく、窪み部８３ａに配置した点火プラグ１０及び熱電対１１をバーナキャップ９で上方から覆い、点火プラグ１０及び熱電対１１に煮こぼれ汁がかかることを防止できる。尚、バーナキャップ９の上面の前側の外周部分には、バーナキャップ９上に落下した煮こぼれ汁が下面に回り込んで点火プラグ１０及び熱電対１１の配置部に落下することを防止するため、土手部９４が突設されている。
【００２０】
鍋底温度センサ５は、シール筒９３の内周空間を通してバーナキャップ９の上方に突出する。ここで、スペーサ８の上筒部８３はバーナボディ７の内周中心７ａと同心であるため、上筒部８３の上端に着座するバーナキャップ９の下面外周部の環状壁９１もバーナボディ７の内周中心７ａと同心になり、バーナボディ７の内周面に嵌合するバーナキャップ９の内周のシール筒９３もバーナボディ７の内周中心７ａと同心になる。その結果、バーナボディ７の外周中心７ｂに対し内周中心７ａが偏心していても、バーナボディ７の内周中心７ａと同心に配置される鍋底温度センサ５と同心でバーナキャップ９が配置されることになり、体裁が良好に保たれる。
【００２１】
鍋底温度センサ５は、上下方向に長手の支持パイプ５１の上端に図外のばねにより上方に付勢した状態で取り付けられている。五徳３に調理容器を載置したとき、鍋底温度センサ５がその上端への調理容器の底面の当接で押下げられ、この押下げ反力で調理容器の底面に鍋底温度センサ５が密着して、調理容器の温度が検出される。鍋底温度センサ５の検出信号は、支持パイプ５１の下端から導出されるリード線５２を介してコンロのコントローラ（図示せず）に入力される。そして、鍋底温度センサ５の検出温度が所定の許容上限温度以上になったときに、バーナ４を消火し、調理容器の過熱を防止する。
【００２２】
支持パイプ５１は、バーナボディ７の立上り部７１とオーバーラップする高さに配置した固定具１３にバーナボディ７の内周中心７ａと同心の状態で固定される。固定具１３は、コンロ本体１内のバーナ４用の台座１ａに起立状態で取り付けられるブラケット１３１と、ブラケット１３１との間に支持パイプ５１を挟み込む押え板１３２とで構成されている。押え板１３２は、その横方向一側端に突設した爪片１３２ａをブラケット１３１に形成した係合孔１３１ａに係合させた状態で、横方向他側部においてブラケット１３１にねじ止めされる。また、ブラケット１３１と押え板１３２の上端には、支持パイプ５１を伝って流下する煮こぼれ汁がリード線５２に触れることを防止するためのフランジ部１３１ｂ，１３２ｂが形成され、更に、ブラケット１３１の上端の横方向両側部には、剛性アップのため、押え板１３２の上縁に係合する曲げ部１３１ｃが形成されている。
【００２３】
固定具１３の横幅は、その剛性を確保すると共に、押え板１３２の取り扱いを容易にする上で然程小さくすることができない。そして、小バーナ４では、バーナボディ７の内径が固定具１３の上端部の横幅と同等かそれ以下になってしまう。その結果、固定具１３の配置高さは、バーナボディ７の立上り部７１の周方向両側部７１ａの下面７１ｂの高さにより制限されてしまう。そして、固定具１３の配置高さが低くなると、コンロの薄型化を図ることが困難になると共に、支持パイプ５１の長さが長くなって、コストアップを招いてしまう。
【００２４】
この場合、バーナボディ７の立上り部７１の周方向両側部７１ａの下面７１ｂの前上がりの傾斜を急にして、固定具１３の干渉を回避することも考えられる。然し、これでは、バーナボディ７の混合気通路７２における混合気の流れが上向きになり過ぎて、スペーサ９を設けても、混合気の分布性が悪くなる。
【００２５】
一方、本実施形態では、上記の如くバーナボディ７の内周中心７ａが外周中心７ｂに対し前方に偏心している。そのため、バーナボディ７の立上り部７１の周方向両側部７１ａの下面７１ｂの前上がりの傾斜を然程急にしなくても、内周中心７ａに合致する前後方向位置において、下面７１ｂの高さは十分に高くなる。従って、バーナボディ７の内径が固定具１３の横幅と同等かそれ以下であっても、固定具１３を立上り部７１の周方向両側部７１ａとの干渉を生ずることなく、立上り部７１とオーバーラップする可及的に高い位置に配置することができる。その結果、コンロの薄型化を図ることができ、また、支持パイプ５１の長さを短くしてコストダウンを図ることができる。
【００２６】
以上、３口コンロの小バーナ４に本発明を適用した実施形態について説明したが、バーナボディの内径が鍋底温度センサの支持パイプ用の固定具の横幅と同等かそれ以下になるバーナにも同様に本発明を適用できる。また、上記実施形態では、スペーサ９の上筒部９３の前側に設けた窪み部９３ａに点火プラグ１０に加えて熱電対１１を配置しているが、熱電対１１は省略しても良い。
【図面の簡単な説明】
【００２７】
【図１】本発明の実施形態のコンロ用バーナを備えるコンロの要部の断面図。
【図２】実施形態のコンロ用バーナの平面図。
【図３】実施形態のコンロ用バーナのバーナキャップを取外した状態の平面図。
【図４】図１のＩＶ−ＩＶ線で切断した実施形態のコンロ用バーナの切断平面図。
【図５】図１のＶ−Ｖ線切断面図。
【符号の説明】
【００２８】
４…コンロ用バーナ、５…鍋底温度センサ、５１…支持パイプ、６…混合管、７…バーナボディ、７ａ…バーナボディの内周中心、７ｂ…バーナボディの外周中心、７１…立上り部、７１ａ…立上り部の周方向両側部、７１ｂ…周方向両側部の下面、７２…混合気通路、８…スペーサ、８１…着座部、８２…下筒部、８３…上筒部、８３ａ…窪み部、９…バーナキャップ、９１…環状壁、９２…炎孔、９３…シール筒、１０…点火プラグ、１３…固定具。
【図１】
0004907503.tif 000002
【図２】
0004907503.tif 000003
【図３】
0004907503.tif 000004
【図４】
0004907503.tif 000005
【図５】
0004907503.tif 000006